(57)【要約】【課題】提示対象者に対する煩わしさを低減しかつ汎用的な用途に用いることができ、しかも広告表示に適用した場合に広告効果を向上するのに好適な情報提示システムを提供する。【解決手段】店舗のショーウィンドウの一部として設置した表示装置４２と、提示対象者を含む表示装置４２の周辺風景の画像を異なる角度から取込可能な複数の画像撮影装置４４と、広告情報を登録した広告情報登録ＤＢ４０とを備え、各画像撮影装置４４で取り込んだ画像に基づいて表示装置４２の周辺風景の鏡像画像を生成し、広告情報登録ＤＢ４０の広告情報に基づいて、生成した鏡像画像と重ね合わせて周辺風景の一部として広告画像を表示装置４２に表示する。【選択図】  図４
2004198452.tif 000002
【特許請求の範囲】
【請求項１】
情報を提示するシステムであって、
情報の提示対象となる提示対象者が鏡をみたときにその鏡に映るであろう周辺風景の鏡像を表示する鏡像表示媒体と、提示対象となる提示情報を記憶するための提示情報記憶手段と、前記提示情報記憶手段の提示情報に基づいて前記鏡像表示媒体に情報を表示する情報表示手段とを備え、
前記情報表示手段は、前記提示情報記憶手段の提示情報に基づいて、前記鏡像表示媒体に表示されている鏡像と重ね合わせて前記周辺風景の一部として情報を表示するようになっていることを特徴とする情報提示システム。
【請求項２】
広告を提示するシステムであって、
広告の提示対象となる提示対象者が鏡をみたときにその鏡に映るであろう周辺風景の鏡像を表示する鏡像表示媒体と、提示対象となる広告情報を記憶するための広告情報記憶手段と、前記広告情報記憶手段の広告情報に基づいて前記鏡像表示媒体に広告を表示する広告表示手段とを備え、
前記広告表示手段は、前記広告情報記憶手段の広告情報に基づいて、前記鏡像表示媒体に表示されている鏡像と重ね合わせて前記周辺風景の一部として広告画像を表示するようになっていることを特徴とする広告提示システム。
【請求項３】
請求項２において、
前記鏡像表示媒体は、画像表示可能な表示手段であり、
さらに、前記鏡像表示媒体の周辺風景の画像を取り込む複数の風景画像取込手段と、前記各風景画像取込手段で取り込んだ画像に基づいて前記鏡像表示媒体の周辺風景の鏡像画像を生成する鏡像画像生成手段とを備え、
前記広告表示手段は、前記広告情報記憶手段の広告情報に基づいて、前記鏡像画像生成手段で生成した鏡像画像と重ね合わせて前記周辺風景の一部として広告画像を前記表示手段に表示するようになっていることを特徴とする広告提示システム。
【請求項４】
請求項３において、
さらに、前記鏡像表示媒体と前記提示対象者との位置関係を検出する位置関係検出手段を備え、
前記鏡像画像生成手段は、前記位置関係検出手段の検出結果に基づいて、前記鏡像表示媒体が所定の方向を向いた平面鏡であるならば前記提示対象者からみて当該平面鏡に映るであろう周辺風景の鏡像画像を生成するようになっていることを特徴とする広告提示システム。
【請求項５】
請求項４において、
さらに、前記提示対象者の画像を取り込む提示対象者画像取込手段を備え、
前記位置関係検出手段は、前記提示対象者画像取込手段で取り込んだ画像に基づいて前記鏡像表示媒体と前記提示対象者との位置関係を検出するようになっていることを特徴とする広告提示システム。
【請求項６】
請求項４において、
さらに、前記提示対象者が所持する通信端末から通信により当該通信端末の位置情報を取得する位置情報取得手段を備え、
前記位置関係検出手段は、前記位置情報取得手段で取得した位置情報に基づいて前記鏡像表示媒体と前記提示対象者との位置関係を検出するようになっていることを特徴とする広告提示システム。
【請求項７】
請求項３乃至６のいずれかにおいて、
さらに、前記鏡像表示媒体の周辺に存在する人の顔の画像を取り込む顔画像取込手段と、前記顔画像取込手段で取り込んだ画像に基づいて前記鏡像表示媒体に視線が向けられたことを検出する視線検出手段とを備え、
前記鏡像画像生成手段は、前記視線検出手段で視線を検出した人を前記提示対象者とし、前記鏡像表示媒体が前記所定の方向を向いた平面鏡であるならば前記提示対象者からみて当該平面鏡に映るであろう周辺風景の鏡像画像を生成するようになっていることを特徴とする広告提示システム。
【請求項８】
情報を提示するプログラムであって、
情報の提示対象となる提示対象者が鏡をみたときにその鏡に映るであろう周辺風景の鏡像を表示する鏡像表示媒体と、提示対象となる提示情報を記憶するための提示情報記憶手段とを利用可能なコンピュータに対して、
前記提示情報記憶手段の提示情報に基づいて前記鏡像表示媒体に情報を表示する情報表示手段として実現される処理を実行させるためのプログラムであり、
前記情報表示手段は、前記提示情報記憶手段の提示情報に基づいて、前記鏡像表示媒体に表示されている鏡像と重ね合わせて前記周辺風景の一部として情報を表示するようになっていることを特徴とする情報提示プログラム。
【請求項９】
情報を提示する方法であって、
情報の提示対象となる提示対象者が鏡をみたときにその鏡に映るであろう周辺風景の鏡像を鏡像表示媒体に表示する鏡像表示ステップと、提示対象となる提示情報に基づいて前記鏡像表示媒体に情報を表示する情報表示ステップとを含み、
前記情報表示ステップは、前記提示情報に基づいて、前記鏡像表示媒体に表示されている鏡像と重ね合わせて前記周辺風景の一部として情報を表示することを特徴とする情報提示方法。
【発明の詳細な説明】
【０００１】
【発明の属する技術分野】
本発明は、情報を提示するシステムおよびプログラム、並びに方法に係り、特に、提示対象者に対する煩わしさを低減しかつ汎用的な用途に用いることができ、しかも広告表示に適用した場合に広告効果を向上するのに好適な情報提示システム、広告提示システムおよび情報提示プログラム、並びに情報提示方法に関する。
【０００２】
【従来の技術】
従来、バーチャルリアリティその他の画像処理技術により、現実の視界映像に仮想的な画像を重ね合わせて情報を提示する技術が広く知られている。こうした技術としては、例えば、特許文献１に開示されているヘッドマウントディスプレイ装置（以下、第１の従来例という。）および特許文献２に開示されているデジタルミラー装置（以下、第２の従来例という。）がある。
【０００３】
第１の従来例は、操作入力部からの入力により、画像出力部にアイコン像を視線検出部により検出された視線位置となるように表示させる。提示対象者の目には、窓部から見える現実の視界に、アイコン像が重なって観察される。提示対象者は視線を視界中の所望の箇所にもっていき、操作入力部からの指示で確定する。例えば、現実に目の前にある文章を観察し、その文章中にある領域を指定すると、指定された領域中の文章或いは単語を、ＣＣＤ（Charge Coupled Device）カメラ部から入力された画像情報から画像処理部において判読し、任意の言語に翻訳し、そのデータを画像出力部にて表示する。
【０００４】
これにより、架空像としてアイコンのようなイメージ像を、現実の視界と重ね合わせ、視線により、アイコン像を移動させ、視界中の所望の位置を指定することができる。
第２の従来例は、洗面台のミラー設置部分にモニター画面を設置し、その両側に複数のカメラの組からなる第１視覚センサと第２視覚センサとを設置し、各々三次元画像データを得て画像処理部に出力する。画像処理部は、これらの画像データに基づき提示対象者の特定の方向から見た画像を形成し、また、適宜インターネットから取り込んだ天気、ニュース等の情報を合成してモニタ画面に表示する。利用者の画像は、指示によって任意の方向の画像、拡大画像等に変換して表示できる。また、モニタ画面には、さらに種々の情報を表示することができる。
【０００５】
これにより、利用者の正面から見た画像等、任意の方向から見た画像をモニタ画面に出力して表示し、さらに各種情報の表示を行うことができる。
【０００６】
【特許文献１】
特開２０００−１５２１２５号公報
【特許文献２】
特開２００２−２９０９６４号公報
【０００７】
【発明が解決しようとする課題】
しかしながら、第１の従来例にあっては、ヘッドマウントディスプレイを提示対象者が装着する必要があるため、提示対象者に煩わしさがあるとともに用途が限定されてしまうという問題があった。
また、第２の従来例にあっては、天気やニュース等の各種情報を単に提示対象者の鏡像と重ね合わせて表示する構成であるため、表示される情報と提示対象者の鏡像との表示上の関連性が低く、例えば、広告表示に適用した場合には、提示対象者の鏡像と重なり合ってはいるものの提示対象者の鏡像とは独立に広告が表示されるように見えてしまい、提示対象者に意外性を与えにくい。そのため、提示対象者の注目を引きにくく、広告効果が十分でないという問題があった。
【０００８】
そこで、本発明は、このような従来の技術の有する未解決の課題に着目してなされたものであって、提示対象者に対する煩わしさを低減しかつ汎用的な用途に用いることができ、しかも広告表示に適用した場合に広告効果を向上するのに好適な情報提示システム、広告提示システムおよび情報提示プログラム、並びに情報提示方法を提供することを目的としている。
【０００９】
【課題を解決するための手段】
〔発明１〕
上記目的を達成するために、発明１の情報提示システムは、
情報を提示するシステムであって、
情報の提示対象となる提示対象者が鏡をみたときにその鏡に映るであろう周辺風景の鏡像を表示する鏡像表示媒体と、提示対象となる提示情報を記憶するための提示情報記憶手段と、前記提示情報記憶手段の提示情報に基づいて前記鏡像表示媒体に情報を表示する情報表示手段とを備え、
前記情報表示手段は、前記提示情報記憶手段の提示情報に基づいて、前記鏡像表示媒体に表示されている鏡像と重ね合わせて前記周辺風景の一部として情報を表示するようになっていることを特徴とする。
【００１０】
このような構成であれば、鏡像表示媒体には、提示対象者が鏡をみたときにその鏡に映るであろう周辺風景の鏡像が表示される。そして、情報表示手段により、提示情報記憶手段の提示情報に基づいて、鏡像表示媒体に表示されている鏡像と重なり合って周辺風景の一部として情報が表示される。
これにより、鏡像表示媒体を用いて情報が表示されるので、ヘッドマウントディスプレイ等の装備品を提示対象者が装着する必要がなく、従来に比して、提示対象者に対する煩わしさを低減することができるとともに、比較的汎用的な用途に用いることができるという効果が得られる。また、周辺風景の一部として情報が表示されるので、広告表示に適用した場合には、現実の視界映像には存在しないのに鏡像表示媒体の鏡像には周辺風景の一部として広告が表示されているという意外性を提示対象者に与えることができる。そのため、提示対象者の注目を引きやすくなり、従来に比して、広告効果を向上することができるという効果も得られる。
【００１１】
ここで、鏡像表示媒体は、鏡像を表示する媒体であればどのようなものであってもよく、これは、例えば、鏡そのものであってもよいし、ディスプレイ等のように画像表示可能な表示手段であってもよい。以下、発明２の広告提示システム、発明８の情報提示プログラム、および発明９の情報提示方法において同じである。
【００１２】
また、提示情報記憶手段は、提示情報をあらゆる手段でかつあらゆる時期に記憶するものであり、提示情報をあらかじめ記憶してあるものであってもよいし、提示情報をあらかじめ記憶することなく、本システムの動作時に外部からの入力等によって提示情報を記憶するようになっていてもよい。以下、発明８の情報提示プログラムにおいて同じである。
【００１３】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、発明２の広告提示システムにおいて同じである。
〔発明２〕
一方、上記目的を達成するために、発明２の広告提示システムは、
広告を提示するシステムであって、
広告の提示対象となる提示対象者が鏡をみたときにその鏡に映るであろう周辺風景の鏡像を表示する鏡像表示媒体と、提示対象となる広告情報を記憶するための広告情報記憶手段と、前記広告情報記憶手段の広告情報に基づいて前記鏡像表示媒体に広告を表示する広告表示手段とを備え、
前記広告表示手段は、前記広告情報記憶手段の広告情報に基づいて、前記鏡像表示媒体に表示されている鏡像と重ね合わせて前記周辺風景の一部として広告画像を表示するようになっていることを特徴とする。
【００１４】
このような構成であれば、鏡像表示媒体には、提示対象者が鏡をみたときにその鏡に映るであろう周辺風景の鏡像が表示される。そして、広告表示手段により、広告情報記憶手段の広告情報に基づいて、鏡像表示媒体に表示されている鏡像と重なり合って周辺風景の一部として広告画像が表示される。
これにより、鏡像表示媒体を用いて広告が表示されるので、ヘッドマウントディスプレイ等の装備品を提示対象者が装着する必要がなく、従来に比して、提示対象者に対する煩わしさを低減することができるとともに、比較的汎用的な用途に用いることができるという効果が得られる。また、周辺風景の一部として広告画像が表示されるので、現実の視界映像には存在しないのに鏡像表示媒体の鏡像には周辺風景の一部として広告が表示されているという意外性を提示対象者に与えることができる。そのため、提示対象者の注目を引きやすくなり、従来に比して、広告効果を向上することができるという効果も得られる。
【００１５】
ここで、広告情報記憶手段は、広告情報をあらゆる手段でかつあらゆる時期に記憶するものであり、広告情報をあらかじめ記憶してあるものであってもよいし、広告情報をあらかじめ記憶することなく、本システムの動作時に外部からの入力等によって広告情報を記憶するようになっていてもよい。
〔発明３〕
さらに、発明３の広告提示システムは、発明２の広告提示システムにおいて、
前記鏡像表示媒体は、画像表示可能な表示手段であり、
さらに、前記鏡像表示媒体の周辺風景の画像を取り込む複数の風景画像取込手段と、前記各風景画像取込手段で取り込んだ画像に基づいて前記鏡像表示媒体の周辺風景の鏡像画像を生成する鏡像画像生成手段とを備え、
前記広告表示手段は、前記広告情報記憶手段の広告情報に基づいて、前記鏡像画像生成手段で生成した鏡像画像と重ね合わせて前記周辺風景の一部として広告画像を前記表示手段に表示するようになっていることを特徴とする。
【００１６】
このような構成であれば、複数の風景画像取込手段により、鏡像表示媒体の周辺風景の画像が取り込まれ、鏡像画像生成手段により、取り込まれたそれら画像に基づいて鏡像表示媒体の周辺風景の鏡像画像が生成される。そして、広告表示手段により、広告情報記憶手段の広告情報に基づいて、生成された鏡像画像と重なり合って周辺風景の一部として広告画像が表示手段に表示される。
【００１７】
これより、複数の風景画像取込手段で取り込んだ画像に基づいて鏡像表示媒体の周辺風景の鏡像画像が生成されるので、実際の鏡に映る鏡像に近い鏡像画像を生成することができるとともに、画像処理により生成した鏡像画像に広告画像を重ね合わせればよいので、広告画像の重ね合わせを比較的容易かつ正確に行うことができるという効果も得られる。
〔発明４〕
さらに、発明４の広告提示システムは、発明３の広告提示システムにおいて、
さらに、前記鏡像表示媒体と前記提示対象者との位置関係を検出する位置関係検出手段を備え、
前記鏡像画像生成手段は、前記位置関係検出手段の検出結果に基づいて、前記鏡像表示媒体が所定の方向を向いた平面鏡であるならば前記提示対象者からみて当該平面鏡に映るであろう周辺風景の鏡像画像を生成するようになっていることを特徴とする。
【００１８】
このような構成であれば、位置関係検出手段により、鏡像表示媒体と提示対象者との位置関係が検出され、鏡像画像生成手段により、その検出結果に基づいて、鏡像表示媒体が所定の方向を向いた平面鏡であるならば提示対象者からみてその平面鏡に映るであろう周辺風景の鏡像画像が生成される。
これにより、提示対象者からみて平面鏡に映るであろう周辺風景の鏡像画像が生成されるので、実際の鏡に映る鏡像にさらに近い鏡像画像を生成することができるという効果も得られる。
【００１９】
ここで、鏡像表示媒体と提示対象者との位置関係としては、例えば、鏡像表示媒体に対する提示対象者の相対位置、提示対象者に対する鏡像表示媒体の相対位置、並びに鏡像表示媒体および提示対象者の絶対位置が含まれる。
また、鏡像画像生成手段は、位置関係検出手段の検出結果に基づいて、鏡像表示媒体が所定の方向を向いた平面鏡であるならば提示対象者からみてその平面鏡に映るであろう画像を生成するようになっているが、これに限らず、実際の鏡に映る鏡像に近い鏡像を表示する他の構成としては、次のような構成を提案することができる。すなわち、鏡像画像生成手段は、位置関係検出手段の検出結果に基づいて、鏡像表示媒体が提示対象者の正面を向いた平面鏡であるならば提示対象者からみてその平面鏡に映るであろう鏡像画像を生成するようになっている。これにより、提示対象者が多少移動しても、表示手段には、提示対象者の鏡像が常に表示されるので、提示対象者を中心とした広告表示を行うことができる。そのため、提示対象者の注目をさらに引きやすくなり、広告効果をさらに向上することができるという効果も得られる。
〔発明５〕
さらに、発明５の広告提示システムは、発明４の広告提示システムにおいて、
さらに、前記提示対象者の画像を取り込む提示対象者画像取込手段を備え、
前記位置関係検出手段は、前記提示対象者画像取込手段で取り込んだ画像に基づいて前記鏡像表示媒体と前記提示対象者との位置関係を検出するようになっていることを特徴とする。
【００２０】
このような構成であれば、提示対象者画像取込手段により、提示対象者の画像が取り込まれ、位置関係検出手段により、取り込まれた画像に基づいて鏡像表示媒体と提示対象者との位置関係が検出される。
これにより、画像処理により鏡像表示媒体と提示対象者との位置関係が検出されるので、鏡像表示媒体と提示対象者との位置関係を比較的正確に検出することができるという効果も得られる。
〔発明６〕
さらに、発明６の広告提示システムは、発明４の広告提示システムにおいて、
さらに、前記提示対象者が所持する通信端末から通信により当該通信端末の位置情報を取得する位置情報取得手段を備え、
前記位置関係検出手段は、前記位置情報取得手段で取得した位置情報に基づいて前記鏡像表示媒体と前記提示対象者との位置関係を検出するようになっていることを特徴とする。
【００２１】
このような構成であれば、位置情報取得手段により、提示対象者が所持する通信端末から通信によって通信端末の位置情報が取得され、位置関係検出手段により、取得された位置情報に基づいて鏡像表示媒体と提示対象者との位置関係が検出される。
これにより、提示対象者が所持する通信端末の位置情報により鏡像表示媒体と提示対象者との位置関係が検出されるので、鏡像表示媒体と提示対象者との位置関係を比較的正確に検出することができるという効果も得られる。また、位置関係の検出を、画像処理で行う場合に比して比較的容易に行うことができるという効果も得られる。
〔発明７〕
さらに、発明７の広告提示システムは、発明３ないし６のいずれかの広告提示システムにおいて、
さらに、前記鏡像表示媒体の周辺に存在する人の顔の画像を取り込む顔画像取込手段と、前記顔画像取込手段で取り込んだ画像に基づいて前記鏡像表示媒体に視線が向けられたことを検出する視線検出手段とを備え、
前記鏡像画像生成手段は、前記視線検出手段で視線を検出した人を前記提示対象者とし、前記鏡像表示媒体が前記所定の方向を向いた平面鏡であるならば前記提示対象者からみて当該平面鏡に映るであろう周辺風景の鏡像画像を生成するようになっていることを特徴とする。
【００２２】
このような構成であれば、顔画像取込手段により、鏡像表示媒体の周辺に存在する人の顔の画像が取り込まれ、視線検出手段により、取り込まれた画像に基づいて鏡像表示媒体に視線が向けられたことが検出される。そして、鏡像画像生成手段により、視線検出手段で視線を検出した人が提示対象者とされ、鏡像表示媒体が所定の方向を向いた平面鏡であるならば提示対象者からみてその平面鏡に映るであろう周辺風景の鏡像画像が生成される。
【００２３】
これにより、鏡像表示媒体の周辺に複数の人が存在する場合は、鏡像表示媒体に視線を向けた人を提示対象者として、その提示対象者からみてその平面鏡に映るであろう周辺風景の鏡像画像および広告画像が表示されるので、鏡像表示媒体に視線を向けた人をターゲットとした広告表示を行うことができる。そのため、提示対象者の注目をさらに引きやすくなり、広告効果をさらに向上することができるという効果も得られる。
〔発明８〕
一方、上記目的を達成するために、発明８の情報提示プログラムは、
情報を提示するプログラムであって、
情報の提示対象となる提示対象者が鏡をみたときにその鏡に映るであろう周辺風景の鏡像を表示する鏡像表示媒体と、提示対象となる提示情報を記憶するための提示情報記憶手段とを利用可能なコンピュータに対して、
前記提示情報記憶手段の提示情報に基づいて前記鏡像表示媒体に情報を表示する情報表示手段として実現される処理を実行させるためのプログラムであり、
前記情報表示手段は、前記提示情報記憶手段の提示情報に基づいて、前記鏡像表示媒体に表示されている鏡像と重ね合わせて前記周辺風景の一部として情報を表示するようになっていることを特徴とする。
【００２４】
このような構成であれば、コンピュータによってプログラムが読み取られ、読み取られたプログラムに従ってコンピュータが処理を実行すると、発明１の情報提示システムと同等の作用および効果が得られる。
〔発明９〕
一方、上記目的を達成するために、発明９の情報提示方法は、
情報を提示する方法であって、
情報の提示対象となる提示対象者が鏡をみたときにその鏡に映るであろう周辺風景の鏡像を鏡像表示媒体に表示する鏡像表示ステップと、提示対象となる提示情報に基づいて前記鏡像表示媒体に情報を表示する情報表示ステップとを含み、
前記情報表示ステップは、前記提示情報に基づいて、前記鏡像表示媒体に表示されている鏡像と重ね合わせて前記周辺風景の一部として情報を表示することを特徴とする。
【００２５】
これにより、発明１の情報提示システムと同等の効果が得られる。
【００２６】
【発明の実施の形態】
以下、本発明の実施の形態を図面を参照しながら説明する。図１ないし図６は、本発明に係る情報提示システム、広告提示システムおよび情報提示プログラム、並びに情報提示方法の実施の形態を示す図である。
本実施の形態は、本発明に係る情報提示システム、広告提示システムおよび情報提示プログラム、並びに情報提示方法を、図２に示すように、店舗のショーウィンドウの一部として設置した表示装置４２により通行者（以下、提示対象者という。）に対して広告を提示する場合について適用したものである。
【００２７】
まず、本発明に係る広告表示装置１００の構成を図１を参照しながら説明する。
図１は、広告表示装置１００の構成を示すブロック図である。
広告表示装置１００は、図１に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００２８】
Ｉ／Ｆ５８には、外部装置として、広告情報を登録した広告情報登録データベース（以下、データベースのことを単にＤＢと略記する。）４０と、画像信号に基づいて画面を表示する表示装置４２と、表示装置４２の周辺風景の画像を取り込む複数の画像撮影装置４４とが接続されている。
図２は、表示装置４２の設置構造を示す図である。
【００２９】
表示装置４２は、図２に示すように、店舗の前の道路を通行する提示対象者が閲覧可能となるように、店舗のショーウィンドウの一部として道路に面して設置されている。
図３は、画像撮影装置４４の設置構造を示す図である。
各画像撮影装置４４は、図３に示すように、提示対象者を含む表示装置４２の周辺風景の画像を異なる角度から取込可能となるように表示装置４２の周縁に点在して設置されている。
【００３０】
ＣＰＵ３０は、マイクロプロセッシングユニットＭＰＵ等からなり、ＲＯＭ３２の所定領域に格納されている所定のプログラムを起動させ、そのプログラムに従って、図４のフローチャートに示す広告表示処理を実行するようになっている。
図４は、広告表示処理を示すフローチャートである。
【００３１】
広告表示処理は、提示対象者の鏡像画像および広告画像を表示装置４２に表示する処理であって、ＣＰＵ３０において実行されると、図４に示すように、まず、ステップＳ１００に移行するようになっている。
ステップＳ１００では、各画像撮影装置４４により、提示対象者を含む表示装置４２の周辺風景の画像を取り込み、ステップＳ１０２に移行して、取り込んだそれら画像に基づいて、表示装置４２の周辺に存在する提示対象者のいずれかが表示装置４２に視線を向けたことを検出する視線検出処理を実行し、ステップＳ１０４に移行する。
【００３２】
ステップＳ１０４では、視線検出処理により表示装置４２に視線が向けられたことが検出されたか否かを判定し、視線が向けられたことが検出されたと判定したとき(Yes)は、ステップＳ１０６に移行して、ステップＳ１００で取り込んだ画像に基づいて、視点を検出した提示対象者と表示装置４２との位置関係を検出し、ステップＳ１０８に移行する。視点を検出した提示対象者と表示装置４２との位置関係としては、例えば、表示装置４２に対する提示対象者の相対位置（角度および距離）を検出する。
【００３３】
ステップＳ１０８では、ステップＳ１００で取り込んだ各画像に基づいて、表示装置４２の周辺風景の鏡像画像を生成する鏡像画像生成処理を実行する。
図５は、鏡像画像を生成する場合を説明するための図である。
鏡像画像生成処理では、図５に示すように、ステップＳ１００で取り込んだ各画像および検出した位置関係に基づいて、表示装置４２が所定の方向（表示装置４２の表示面に対して垂直の方向）を向いた平面鏡であるならば提示対象者からみてその平面鏡に映るであろう周辺風景の鏡像画像を生成する。なお、異なる角度から見た提示対象者の複数の画像に基づいて鏡像画像を生成する方法としては、例えば、特開２０００−３０６０９２号公報に開示されている公知の方法を採用することができる。
【００３４】
次いで、ステップＳ１１０に移行して、広告情報登録ＤＢ４０から広告情報を読み出し、ステップＳ１１２に移行する。
ステップＳ１１２では、読み出した広告情報および検出した位置関係に基づいて、生成した鏡像画像と重ね合わせたときにその周辺風景の一部となるように広告画像を生成する広告画像生成処理を実行する。
【００３５】
図６は、広告画像を生成する場合を説明するための図である。
広告画像生成処理では、図６に示すように、例えば、鏡像画像のなかに建物が存在する場合に、実際のその建物の屋上には広告看板が存在しないが、鏡像画像のなかの建物の屋上には広告看板が設置されているかのように、建物の屋上に設置すべき広告看板の広告画像を生成する。
【００３６】
次いで、ステップＳ１１４に移行して、ステップＳ１０８で生成した鏡像画像とステップＳ１１２で生成した広告画像を重ね合わせて表示装置４２に表示し、一連の処理を終了して元の処理に復帰させる。
一方、ステップＳ１０４で、視線検出処理により表示装置４２に視線が向けられたことが検出されないと判定したとき(No)は、ステップＳ１１６に移行して、ステップＳ１００で取り込んだ各画像に基づいて表示装置４２の周辺風景の鏡像画像を生成する鏡像画像生成処理を実行し、ステップＳ１１８に移行して、生成した鏡像画像を表示装置４２に表示し、ステップＳ１００に移行する。
【００３７】
次に、本実施の形態の動作を説明する。
まず、店舗のショーウィンドウの一部として設置された表示装置４２には、表示装置４２の周辺風景の鏡像が表示される。そして、店舗の前の道路を複数の提示対象者が通行しているなかで、そのいずれか提示対象者が表示装置４２に視線を向けると、ステップＳ１００，Ｓ１０２を経て、各画像撮影装置４４により、提示対象者を含む表示装置４２の周辺風景の画像が取り込まれ、取り込まれたそれら画像に基づいて、表示装置４２の周辺に存在する提示対象者のいずれかが表示装置４２に視線を向けたことが検出される。
【００３８】
視線が検出されると、ステップＳ１０６，Ｓ１０８を経て、取り込まれた画像に基づいて、視点を検出した提示対象者と表示装置４２との位置関係が検出され、取り込まれた各画像および検出された位置関係に基づいて、表示装置４２の周辺風景の鏡像画像が生成される。具体的には、表示装置４２が所定の方向を向いた平面鏡であるならば提示対象者からみてその平面鏡に映るであろう周辺風景の鏡像画像が生成される。
【００３９】
次いで、ステップＳ１１０，Ｓ１１２を経て、広告情報登録ＤＢ４０から広告情報が読み出され、読み出された広告情報および検出された位置関係に基づいて、生成された鏡像画像と重ね合わせたときにその周辺風景の一部となるように広告画像が生成される。
そして、ステップＳ１１４を経て、生成された鏡像画像と広告画像が重なり合って表示装置４２に表示される。
【００４０】
このようにして、本実施の形態では、提示対象者が鏡をみたときにその鏡に映るであろう周辺風景の鏡像を表示する表示装置４２と、広告情報を登録した広告情報登録ＤＢ４０とを備え、広告情報登録ＤＢ４０の広告情報に基づいて、表示装置４２に表示されている鏡像と重ね合わせて周辺風景の一部として広告画像を表示するようになっている。
【００４１】
これにより、表示装置４２を用いて広告が表示されるので、ヘッドマウントディスプレイ等の装備品を提示対象者が装着する必要がなく、従来に比して、提示対象者に対する煩わしさを低減することができるとともに、比較的汎用的な用途に用いることができる。また、周辺風景の一部として広告画像が表示されるので、現実の視界映像には存在しないのに表示装置４２の鏡像には周辺風景の一部として広告が表示されているという意外性を提示対象者に与えることができる。そのため、提示対象者の注目を引きやすくなり、従来に比して、広告効果を向上することができる。
【００４２】
さらに、本実施の形態では、表示装置４２の周辺風景の画像を取り込む複数の画像撮影装置４４を備え、各画像撮影装置４４で取り込んだ画像に基づいて表示装置４２の周辺風景の鏡像画像を生成し、広告情報登録ＤＢ４０の広告情報に基づいて、生成した鏡像画像と重ね合わせて周辺風景の一部として広告画像を表示装置４２に表示するようになっている。
【００４３】
これより、複数の画像撮影装置４４で取り込んだ画像に基づいて表示装置４２の周辺風景の鏡像画像が生成されるので、実際の鏡に映る鏡像に近い鏡像画像を生成することができるとともに、画像処理により生成した鏡像画像に広告画像を重ね合わせればよいので、広告画像の重ね合わせを比較的容易かつ正確に行うことができる。
【００４４】
さらに、本実施の形態では、表示装置４２と提示対象者との位置関係を検出し、その検出結果に基づいて、表示装置４２が所定の方向を向いた平面鏡であるならば提示対象者からみてその平面鏡に映るであろう周辺風景の鏡像画像を生成するようになっている。
これにより、提示対象者からみて平面鏡に映るであろう周辺風景の鏡像画像が生成されるので、実際の鏡に映る鏡像にさらに近い鏡像画像を生成することができる。
【００４５】
さらに、本実施の形態では、画像撮影装置４４で取り込んだ画像に基づいて表示装置４２と提示対象者との位置関係を検出するようになっている。
これにより、画像処理により表示装置４２と提示対象者との位置関係が検出されるので、表示装置４２と提示対象者との位置関係を比較的正確に検出することができる。
【００４６】
さらに、本実施の形態では、画像撮影装置４４で取り込んだ画像に基づいて表示装置４２に視線が向けられたことを検出し、視線を検出した人を提示対象者とし、表示装置４２が所定の方向を向いた平面鏡であるならば提示対象者からみてその平面鏡に映るであろう周辺風景の鏡像画像を生成するようになっている。
これにより、表示装置４２の周辺に複数の人が存在する場合は、表示装置４２に視線を向けた人を提示対象者として、その提示対象者からみてその平面鏡に映るであろう周辺風景の鏡像画像および広告画像が表示されるので、表示装置４２に視線を向けた人をターゲットとした広告表示を行うことができる。そのため、提示対象者の注目をさらに引きやすくなり、広告効果をさらに向上することができる。
【００４７】
上記実施の形態において、広告情報登録ＤＢ４０は、発明１若しくは８の提示情報記憶手段、または発明２若しくは３の広告情報記憶手段に対応し、表示装置４２は、発明１ないし５、７ないし９の鏡像表示媒体、または発明３の表示手段に対応し、画像撮影装置４４およびステップＳ１００は、発明３の風景画像取込手段、発明５の提示対象者画像取込手段、または発明７の顔画像取込手段に対応している。また、ステップＳ１０２は、発明７の視線検出手段に対応し、ステップＳ１０６は、発明４または５の位置関係検出手段に対応し、ステップＳ１０８は、発明３、４または７の鏡像画像生成手段に対応し、ステップＳ１１４は、発明１若しくは８の情報表示手段、発明２若しくは３の広告表示手段、発明９の鏡像表示ステップ、または発明９の情報表示ステップに対応している。
【００４８】
また、上記実施の形態において、広告情報は、発明１、８または９の提示情報に対応している。
なお、上記実施の形態においては、画像撮影装置４４で取り込んだ画像に基づいて表示装置４２と提示対象者との位置関係を検出するように構成したが、これに限らず、携帯電話やＰＤＡ（Personal Digital Assistant）等の通信端末を提示対象者に所持させ、通信端末から通信によりその通信端末の位置情報を取得し、取得した位置情報に基づいて表示装置４２と提示対象者との位置関係を検出するように構成することもできる。
【００４９】
これにより、提示対象者が所持する通信端末の位置情報により表示装置４２と提示対象者との位置関係が検出されるので、表示装置４２と提示対象者との位置関係を比較的正確に検出することができる。また、位置関係の検出を、画像処理で行う場合に比して比較的容易に行うことができる。
この場合において、表示装置４２は、発明６の鏡像表示媒体に対応している。
【００５０】
また、上記実施の形態においては、鏡像画像のなかに建物が存在する場合に、実際のその建物の屋上には広告看板が存在しないが、鏡像画像のなかの建物の屋上には広告看板が設置されているかのように、建物の屋上に設置すべき広告看板の広告画像を表示装置４２に表示するように構成したが、これに限らず、次のような広告画像を表示することができる。
【００５１】
携帯電話を販売する店舗に広告表示装置１００を配置した場合には、例えば、提示対象者が表示装置４２を覗き込むと、提示対象者を含む表示装置４２の周辺風景の鏡像が表示装置４２に表示されるとともに、表示装置４２の表示画面において、携帯電話のＣＭタレントが提示対象者の背後に現れてこちらを振り向く。提示対象者は、ＣＭタレントが本当に背後に現れたのかと思い、振り向くがそこには実際に存在しない。提示対象者は、再び表示装置４２を振り返ると、そこにはタレントが映っており、その時点で広告だということに気が付く。このように、提示対象者に強い印象を与えることができ、提示対象者の注目を引くことができる。この場合、ＣＭタレントの画像が広告画像である。
【００５２】
また、上記実施の形態においては、広告画像を動画として表示することについて特に説明しなかったが、広告画像を動画として表示することができる。例えば、バッグを販売する店舗に広告表示装置１００を設置した場合には、提示対象者が所持しているバッグが、その店舗で販売されている商品のバッグに置き換えられて表示される。この場合、表示されたバッグの画像が広告画像である。
【００５３】
また、上記実施の形態においては、広告情報登録ＤＢ４０から広告情報を読み出し、読み出した広告情報に基づいて広告画像を生成するように構成したが、これに限らず、広告情報登録ＤＢを有する広告情報登録サーバと広告表示装置１００とを通信可能に接続したネットワーク構成を採用することもできる。具体的には、広告表示装置１００は、広告情報を取得すべき広告情報取得要求を広告情報登録サーバに送信し、その送信により広告情報を受信したときは、受信した広告情報に基づいて広告画像を生成する。広告情報登録サーバは、広告情報取得要求を受信したときは、広告情報登録ＤＢから広告情報を読み出し、読み出した広告情報を要求のあった広告表示装置１００に送信する。
【００５４】
また、上記実施の形態においては、広告情報登録ＤＢ４０から広告情報を読み出し、読み出した広告情報に基づいて広告画像を生成するように構成したが、これに限らず、携帯電話やＰＤＡ等の通信端末を提示対象者に所持させ、通信端末から通信により提示対象者に関する提示対象者情報を取得し、取得した提示対象者情報に基づいて広告情報登録ＤＢ４０から広告情報を読み出し、読み出した広告情報に基づいて広告画像を生成するように構成することができる。この場合、提示対象者情報としては、例えば、提示対象者の趣味趣向や特定企業との契約内容等に関する情報である。提示対象者情報として提示対象者の趣味趣向に関する情報を採用した場合には、提示対象者の趣味趣向に応じた広告が表示装置４２に表示される。また、提示対象者情報として特定企業との契約内容等に関する情報を採用した場合には、特定企業が提供・販売する商品若しくはサービスまたは特定企業そのものに関する広告が表示装置４２に表示される。
【００５５】
また、上記実施の形態においては、広告情報登録ＤＢ４０から広告情報を読み出し、読み出した広告情報に基づいて広告画像を生成するように構成したが、これに限らず、店舗のショーウィンドウに商品を展示しておき、提示対象者がショーウィンドウのいずれかの商品を覗き込んでいるときは、その商品に関する広告情報を広告情報登録ＤＢ４０から読み出し、読み出した広告情報に基づいて広告画像を生成するように構成することもできる。
【００５６】
また、上記実施の形態においては、店舗の前の道路を通行する提示対象者の人数によらず広告を表示するように構成したが、これに限らず、例えば、店舗の前で人がにぎわっているときは大々的に広告を表示し、閑散としているときは控えめに広告を表示するとか、店舗の前の道路を通行する提示対象者の人数に応じて広告を表示するように構成することもできる。
【００５７】
また、上記実施の形態においては、店舗の前の道路を通行する提示対象者の人数によらず広告を表示するように構成したが、これに限らず、例えば、天候に特化した商品Ａ，Ｂについて、雨であれば商品Ａの広告を表示し、晴れであれば商品Ｂの広告を表示するとか、天候に応じて広告を表示するように構成することもできる。ここで、例えば、商品Ａは、雨用のグッズであり、商品Ｂは、晴れ用のグッズである。
【００５８】
また、上記実施の形態においては、店舗の前の道路を通行する提示対象者の人数によらず広告を表示するように構成したが、これに限らず、例えば、閑散としている商店街に広告表示装置１００を設置した場合、実際には人通りはないが、鏡を通して見るとたくさんの人通りがあるかのようにみえるように、人通りを広告として表示するように構成することもできる。
【００５９】
また、上記実施の形態においては、表示装置４２が所定の方向を向いた平面鏡であるならば提示対象者からみてその平面鏡に映るであろう周辺風景の鏡像画像を生成するように構成したが、これに限らず、表示装置４２が提示対象者の正面を向いた平面鏡であるならば提示対象者からみてその平面鏡に映るであろう鏡像画像を生成するように構成することもできる。
【００６０】
これにより、提示対象者が多少移動しても、表示装置４２には、提示対象者の鏡像が常に表示されるので、提示対象者を中心とした広告表示を行うことができる。そのため、提示対象者の注目をさらに引きやすくなり、広告効果をさらに向上することができる。
また、上記実施の形態においては、各画像撮影装置４４で取り込んだ画像に基づいて表示装置４２の周辺風景の鏡像画像を生成し、広告情報登録ＤＢ４０の広告情報に基づいて、生成した鏡像画像と重ね合わせて周辺風景の一部として広告画像を表示装置４２に表示するように構成したが、これに限らず、提示対象者を含む表示装置４２の周辺風景の鏡像を表示するものとして平面鏡を用い、生成した広告画像をプロジェクタ等の投影装置により平面鏡に投影することにより、平面鏡の鏡像と重ね合わせて周辺風景の一部として広告画像を平面鏡に表示するように構成することもできる。
【００６１】
また、上記実施の形態において、図４のフローチャートに示す処理を実行するにあたっては、ＲＯＭ３２にあらかじめ格納されている制御プログラムを実行する場合について説明したが、これに限らず、これらの手順を示したプログラムが記憶された記憶媒体から、そのプログラムをＲＡＭ３４に読み込んで実行するようにしてもよい。
【００６２】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００６３】
また、上記実施の形態においては、本発明に係る情報提示システム、広告提示システムおよび情報提示プログラム、並びに情報提示方法を、図２に示すように、店舗のショーウィンドウの一部として設置した表示装置４２により提示対象者に対して広告を提示する場合について適用したが、これに限らず、本発明の主旨を逸脱しない範囲で他の場合にも適用可能である。
【図面の簡単な説明】
【図１】広告表示装置１００の構成を示すブロック図である。
【図２】表示装置４２の設置構造を示す図である。
【図３】画像撮影装置４４の設置構造を示す図である。
【図４】広告表示処理を示すフローチャートである。
【図５】鏡像画像を生成する場合を説明するための図である。
【図６】広告画像を生成する場合を説明するための図である。
【符号の説明】
１００…広告表示装置，３０…ＣＰＵ，３２…ＲＯＭ，３４…ＲＡＭ，３８…Ｉ／Ｆ，４０…広告情報報登録ＤＢ，４２…表示装置，４４…画像撮影装置
【図１】
2004198452.tif 000003
【図２】
2004198452.tif 000004
【図３】
2004198452.tif 000005
【図４】
2004198452.tif 000006
【図５】
2004198452.tif 000007
【図６】
2004198452.tif 000008